(57)【要約】【課題】ＰＯＮ伝送線路において測定した戻り光と、線路設計時に入力した設備情報との対応関係の判別を容易させるための設備情報の表示を行う設備情報表示装置を提供する。【解決手段】入力画面表示手段１１ａは、接続端と分岐装置の区間及び分岐装置と終端装置の区間及び分岐装置と他の分岐装置の区間のそれぞれに対応付けられる複数の距離入力欄を表示する。入力部１５は、ユーザの操作を受けて、複数の距離入力欄に対応する区間ごとの距離値を入力する。算出部１２は、接続端と分岐装置と終端装置の接続関係、及び複数の距離入力欄に入力される距離値に基づいて、接続端から分岐装置までの距離値等を算出する。並べ替え部１４は、算出部１２が算出した距離値と距離値に対応する設備情報との組み合わせ情報を距離値の大きさに基づいて並べ替える。合計距離表示手段１１ｂは、並べ替えた距離値と設備情報との組み合わせ情報を表示する。【選択図】    図１
2007116598.tif 000002
【特許請求の範囲】
【請求項１】
接続端（３１）に接続される一本の光ファイバ（４０）が１つの分岐装置（５０）、あるいは多段に接続される複数の分岐装置（７０−１から７０−Ｍ）により分岐され、分岐されるそれぞれの光ファイバ（８０−１から８０−Ｎ）が終端装置（９０−１から９０−Ｎ）に接続されることにより構成される光伝送線路の前記分岐装置や前記終端装置の設備情報を表示する設備情報表示装置（１）であって、
前記接続端と前記分岐装置の区間及び前記分岐装置と前記終端装置の区間、または前記接続端と前記分岐装置の区間及び前記分岐装置と前記終端装置の区間及び前記分岐装置と他の分岐装置の区間のそれぞれに対応付けられる複数の距離入力欄を表示する第１の表示手段（１１ａ）と、
ユーザの操作を受けて、前記第１の表示手段が表示する前記複数の距離入力欄に対応する区間ごとの距離値を入力する入力手段（１５）と、
前記接続端と前記分岐装置と前記終端装置の接続関係、及び前記複数の距離入力欄に入力される距離値に基づいて、前記接続端から前記分岐装置までの距離値、または前記接続端から前記終端装置までの距離値を算出する算出手段（１２）と、
前記算出手段が算出する距離値と前記距離値に対応する設備情報との組み合わせ情報を前記距離値の大きさに基づいて並べ替える並べ替え手段（１３）と、
前記並べ替え手段により並べ替えられる距離値と設備情報との組み合わせ情報を表示する第２の表示手段（１１ｂ）と、
を備えたことを特徴とする設備情報表示装置。
【請求項２】
前記接続端に接続される測定装置が前記光ファイバに光パルス信号を入射することにより測定する戻り光に基づく前記分岐装置あるいは前記終端装置の前記接続端からの距離値と、当該距離値に対応する前記戻り光の光強度値とを前記距離値の大きさに基づく順に記憶する記憶手段（１６）と、
前記記憶手段から、記憶されている順に距離値を読み出し、前記並べ替え手段が並び替えた前記組み合わせ情報に含まれる設備情報を並び替えられた順に従って読み出し、読み出した距離値と読み出した設備情報とを対応付けて順に表示する第３の表示手段（１１ｃ）と、
を更に備えたことを特徴とする請求項１に記載の設備情報表示装置。
【請求項３】
接続端に接続される一本の光ファイバが１つの分岐装置、あるいは多段に接続される複数の分岐装置により分岐され、分岐されるそれぞれの光ファイバが終端装置に接続されることにより構成される光伝送線路の前記分岐装置や前記終端装置の設備情報を表示する設備情報表示方法であって、
前記接続端と前記分岐装置の区間及び前記分岐装置と前記終端装置の区間、または前記接続端と前記分岐装置の区間及び前記分岐装置と前記終端装置の区間及び前記分岐装置と他の分岐装置の区間のそれぞれに対応付けられる複数の距離入力欄を表示するステップと、
ユーザの操作を受けて、表示された前記複数の距離入力欄に対応する区間ごとの距離値を入力するステップと、
前記接続端と前記分岐装置と前記終端装置の接続関係、及び前記複数の距離入力欄に入力された距離値に基づいて、前記接続端から前記分岐装置までの距離値、または前記接続端から前記終端装置までの距離値を算出するステップと、
算出した距離値と前記距離値に対応する設備情報との組み合わせ情報を前記距離値の大きさに基づいて並べ替えるステップと、
並べ替えた距離値と設備情報との組み合わせ情報を表示するステップと、
を含むことを特徴とする設備情報表示方法。
【請求項４】
接続端に接続される一本の光ファイバが１つの分岐装置、あるいは多段に接続される複数の分岐装置により分岐され、分岐されるそれぞれの光ファイバが終端装置に接続されることにより構成される光伝送線路の前記分岐装置や前記終端装置の設備情報を表示する設備情報表示装置のコンピュータに、
前記接続端と前記分岐装置の区間及び前記分岐装置と前記終端装置の区間、または前記接続端と前記分岐装置の区間及び前記分岐装置と前記終端装置の区間及び前記分岐装置と他の分岐装置の区間のそれぞれに対応付けられる複数の距離入力欄を表示するステップと、
ユーザの操作を受けて、表示された前記複数の距離入力欄に対応する区間ごとの距離値を入力するステップと、
前記接続端と前記分岐装置と前記終端装置の接続関係、及び前記複数の距離入力欄に入力された距離値に基づいて、前記接続端から前記分岐装置までの距離値、または前記接続端から前記終端装置までの距離値を算出するステップと、
算出した距離値と前記距離値に対応する設備情報との組み合わせ情報を前記距離値の大きさに基づいて並べ替えるステップと、
並べ替えた距離値と設備情報との組み合わせ情報を表示するステップと、
を実行させるためのコンピュータプログラム。
【発明の詳細な説明】
【技術分野】
【０００１】
本発明は、ＰＯＮにより構成される光伝送線路における設備情報の登録時に画面に設備情報を表示する設備情報表示装置、設備情報表示方法及びコンピュータプログラムに関する。
【背景技術】
【０００２】
従来、光ファイバケーブル（以下、光ファイバと記載）を用いた伝送線路の方式として、通信局に備えられた通信装置に接続される１つの光ファイバを１つのスプリッタ、光カプラなどの分岐装置で分岐した後に、多段に接続される分岐装置で分岐し、分岐した光ファイバにより複数のユーザ宅に備えられる終端装置を収容するＰＯＮ（Passive Optical Network）方式の伝送線路（以下、ＰＯＮ伝送線路と記載）が知られている。
【０００３】
ＰＯＮ伝送線路において、障害等が発生した場合には、例えば、ＯＴＤＲ(Optical Time Domain Reflectometers)等の測定装置を用いて伝送線路の光ファイバの長手方向、すなわち終端装置の方向に向かって光パルスを入射し、当該入射により発生するレイリー散乱やデバイスからの反射に基づく戻り光を測定する。測定した戻り光の波形のピークは、上述した分岐装置や終端装置等の設備が存在する箇所で発生するため、障害が発生する前に測定した初期状態の測定情報と、障害が発生した後に測定した測定情報とを比較して、障害発生箇所を特定することができる（例えば、特許文献１参照）。
【特許文献１】特開平１０−１７０３９６号公報
【発明の開示】
【発明が解決しようとする課題】
【０００４】
しかしながら、ＰＯＮ伝送線路では、スプリッタが多段に接続されることがあり、例えば、４分岐のスプリッタが接続され、その先に８分岐や３２分岐のスプリッタが多段に接続される場合もある。分岐数が多くなると、測定装置によって測定される戻り光の波形のピークもそれに従って多くなり、初期状態の測定情報を登録するに際して、波形のピークを確認して設備情報との対応を取る場合、どの反射光がどの設備情報に対応するのかを判別することは非常に困難であるという問題がある。
【０００５】
本発明は、上記問題を解決すべくなされたもので、その目的は、ＰＯＮ伝送線路において測定した戻り光と、線路設計時に入力した設備情報との対応関係の判別を容易させるための設備情報の表示を行う設備情報表示装置、設備情報表示方法及びコンピュータプログラムを提供することにある。
【課題を解決するための手段】
【０００６】
上記問題を解決するために、本発明は、接続端に接続される一本の光ファイバが１つの分岐装置、あるいは多段に接続される複数の分岐装置により分岐され、分岐されるそれぞれの光ファイバが終端装置に接続されることにより構成される光伝送線路の前記分岐装置や前記終端装置の設備情報を表示する設備情報表示装置であって、前記接続端と前記分岐装置の区間及び前記分岐装置と前記終端装置の区間、または前記接続端と前記分岐装置の区間及び前記分岐装置と前記終端装置の区間及び前記分岐装置と他の分岐装置の区間のそれぞれに対応付けられる複数の距離入力欄を表示する第１の表示手段と、ユーザの操作を受けて、前記第１の表示手段が表示する前記複数の距離入力欄に対応する区間ごとの距離値を入力する入力手段と、前記接続端と前記分岐装置と前記終端装置の接続関係、及び前記複数の距離入力欄に入力される距離値に基づいて、前記接続端から前記分岐装置までの距離値、または前記接続端から前記終端装置までの距離値を算出する算出手段と、前記算出手段が算出する距離値と前記距離値に対応する設備情報との組み合わせ情報を前記距離値の大きさに基づいて並べ替える並べ替え手段と、前記並べ替え手段により並べ替えられる距離値と設備情報との組み合わせ情報を表示する第２の表示手段と、を備えたことを特徴とする設備情報表示装置である。
【０００７】
本発明は、上記に記載の発明において、前記接続端に接続される測定装置が前記光ファイバに光パルス信号を入射することにより測定する戻り光に基づく前記分岐装置あるいは前記終端装置の前記接続端からの距離値と、当該距離値に対応する前記戻り光の光強度値とを前記距離値の大きさに基づく順に記憶する記憶手段と、前記記憶手段から、記憶されている順に距離値を読み出し、前記並べ替え手段が並び替えた前記組み合わせ情報に含まれる設備情報を並び替えられた順に従って読み出し、読み出した距離値と読み出した設備情報とを対応付けて順に表示する第３の表示手段と、を更に備えたことを特徴とする。
【０００８】
本発明は、接続端に接続される一本の光ファイバが１つの分岐装置、あるいは多段に接続される複数の分岐装置により分岐され、分岐されるそれぞれの光ファイバが終端装置に接続されることにより構成される光伝送線路の前記分岐装置や前記終端装置の設備情報を表示する設備情報表示方法であって、前記接続端と前記分岐装置の区間及び前記分岐装置と前記終端装置の区間、または前記接続端と前記分岐装置の区間及び前記分岐装置と前記終端装置の区間及び前記分岐装置と他の分岐装置の区間のそれぞれに対応付けられる複数の距離入力欄を表示するステップと、ユーザの操作を受けて、表示された前記複数の距離入力欄に対応する区間ごとの距離値を入力するステップと、前記接続端と前記分岐装置と前記終端装置の接続関係、及び前記複数の距離入力欄に入力された距離値に基づいて、前記接続端から前記分岐装置までの距離値、または前記接続端から前記終端装置までの距離値を算出するステップと、算出した距離値と前記距離値に対応する設備情報との組み合わせ情報を前記距離値の大きさに基づいて並べ替えるステップと、並べ替えた距離値と設備情報との組み合わせ情報を表示するステップと、を含むことを特徴とする設備情報表示方法である。
【０００９】
本発明は、接続端に接続される一本の光ファイバが１つの分岐装置、あるいは多段に接続される複数の分岐装置により分岐され、分岐されるそれぞれの光ファイバが終端装置に接続されることにより構成される光伝送線路の前記分岐装置や前記終端装置の設備情報を表示する設備情報表示装置のコンピュータに、前記接続端と前記分岐装置の区間及び前記分岐装置と前記終端装置の区間、または前記接続端と前記分岐装置の区間及び前記分岐装置と前記終端装置の区間及び前記分岐装置と他の分岐装置の区間のそれぞれに対応付けられる複数の距離入力欄を表示するステップと、ユーザの操作を受けて、表示された前記複数の距離入力欄に対応する区間ごとの距離値を入力するステップと、前記接続端と前記分岐装置と前記終端装置の接続関係、及び前記複数の距離入力欄に入力された距離値に基づいて、前記接続端から前記分岐装置までの距離値、または前記接続端から前記終端装置までの距離値を算出するステップと、算出した距離値と前記距離値に対応する設備情報との組み合わせ情報を前記距離値の大きさに基づいて並べ替えるステップと、並べ替えた距離値と設備情報との組み合わせ情報を表示するステップと、を実行させるためのコンピュータプログラムである。
【発明の効果】
【００１０】
この発明によれば、設備の名称と当該設備の距離値とを対応付け、例えば、距離値が小さい順に設備の名称を並べ替えることができる。それにより、測定装置で測定され、測定装置からの距離が短い順に表示される戻り光の光強度及び距離値と、並べ替えられた設備の名称を対比することにより、どの設備がどの戻り光のピーク及び距離値に対応するかをユーザに判別させ易くすることができる。
【発明を実施するための最良の形態】
【００１１】
以下、本発明の一実施形態を図面を参照して説明する。
図１は、本実施形態による設備情報表示装置１を示す概略ブロック図である。
設備情報表示装置１は、ＰＯＮ方式の伝送線路における、スプリッタや終端装置等の設備ごとの接続関係や、ＰＯＮ伝送線路の接続端からの各設備までの距離などの設備に関する情報を表示する。
【００１２】
設備情報表示装置１は、制御装置１０、キーボード１５−１やマウス１５−２、ＣＲＴ（Cathode Ray Tube）や液晶の画面を有する表示装置１９とを備えている。設備情報表示装置１の制御装置１０において、入力部１５は、キーボード１５−１やマウス１５−２等の入力デバイスに接続され、ユーザの操作を受けた入力デバイスが出力する信号を検出し、検出した信号に対応する情報を入力する。
【００１３】
表示部１１は、表示装置１９に接続され、入力部１５から入力される指示情報に従い、表示装置１９に設備に関する情報を含む画面を出力する。表示部１１において、入力画面表示手段１１ａは、設備に関する情報の入力を受けるための設備情報入力画面を表示装置１９に出力する。合計距離表示手段１１ｂは、接続端から各設備までの合計距離値を各設備の設備名称に対応付けて表示する合計距離表示画面を表示装置１９に出力する。測定情報表示手段１１ｃは、ＯＴＤＲ等の測定装置で測定されるＰＯＮ伝送線路の実際の戻り光の波形を表示する測定情報表示画面や、接続端から各設備までの合計距離値及びユーザの操作を受けて設備情報入力画面にて入力される設備情報を対応付けて表示する設備情報表示画面を表示装置１９に出力する。
【００１４】
算出部１２は、入力画面表示手段１１ａが設備情報入力画面を表示している際に、ユーザがキーボード１５−１あるいはマウス１５−２を操作することにより入力する設備区間ごとの距離値に基づいて、接続端から各設備までの合計距離値を算出する。並べ替え部１３は、算出部１２が算出した合計距離値と、設備情報入力画面に入力されている設備の名称情報とを対応付けた情報を、合計距離値に基づいて昇順、すなわち合計距離値が小さい方から順に並べ替え、並べ替えた後の情報を表示部１１に出力するとともに、入力情報記憶部１４に記録する。
【００１５】
測定情報記憶部１６は、後述するＯＴＤＲ等の測定装置によって測定される戻り光の光強度と、戻り光が測定装置に受光された時間に基づく距離値とを対応付けて記憶する。設備情報記憶部１７は、測定情報記憶部１６に記憶される実際の測定情報に基づいて、各設備の接続端からの距離値、各設備間の距離、接続種別、接続点名称等の情報を対応付けて記憶する。
【００１６】
図２は、ＰＯＮ伝送線路の一般的な構成を示した図である。ＰＯＮ伝送線路は、光ファイバ４０、スプリッタ５０、光ファイバ６０−１〜６０−Ｍ、スプリッタ７０−１〜７０−Ｍ、光ファイバ８０−１〜８０−Ｎ、及び終端装置９０−１〜９０−Ｎを備えている。図２において、スプリッタ５０は、光信号を分岐あるいは合波するデバイスを備えた分岐装置であり、スター型の光カプラとも呼ばれ、光ファイバ４０からの光信号を複数の光ファイバ６０−１〜６０−Ｍへ等パワーで分岐し、また、複数の光ファイバ６０−１〜６０−Ｍからの光信号を光ファイバ４０へ合波する。一般的なスプリッタにおいて分岐される数は４、８、１６、３２である。また、スプリッタ７０−１〜７０−Ｍは、スプリッタ５０が分岐した光ファイバ６０−１〜６０−Ｍに接続され、ＰＯＮ伝送線路におけるスプリッタの多段接続を構成するスプリッタである。
【００１７】
終端装置９０−１〜９０−Ｎは、例えばＯＮＵ（Optical Network Unit）等であり、ユーザの宅内に設置され、ユーザが所有するコンピュータの通信インタフェース等にケーブルを介して接続される。また、終端装置９０−１〜９０−Ｎは、スプリッタ７０−１が分岐した光ファイバ８０−１〜８０−Ｎからの光信号を電気信号に変換して、接続される通信端末等に出力し、また、通信端末等から出力される電気信号を光信号に変換して光ファイバ８０−１〜８０−Ｎに出力する。なお、スプリッタ７０−１以外のスプリッタ７０−２〜７０−Ｍも、それぞれの分岐数に応じてスプリッタ７０−１と同様に構成される。
【００１８】
ＰＯＮ伝送線路を構築する際に、光ファイバ６０−１〜６０−Ｍ、光ファイバ８０−１〜８０−Ｎが、それぞれスプリッタ７０−１〜７０−Ｍ、終端装置９０−１〜９０−Ｎが配置される場所まで配線されるが、これらの光ファイバ６０−１〜６０−Ｍ、光ファイバ８０−１〜８０−Ｎは様々な経路で配線されるため、極めて例外的な場合を除き、同じ長さとなることはない。そのため、後述する測定装置３０を用いて測定するスプリッタ５０、スプリッタ７０−１〜７０−Ｍ、終端装置９０−１〜９０−Ｎからの戻り光のピークは異なる位置に現れることになる。また、接続端３１は、後述する測定装置３０が接続される光ファイバ４０における接続端である。一般的な、ＰＯＮ伝送線路における光パルス試験システムの場合、光の伝送装置とスプリッタ５０とを接続する光ファイバの間に、光を分岐する２分岐の方向性のある光カプラを挿入し、分岐により生じた新たな接続端が接続端３１に対応し、当該接続端３１に測定装置３０が接続されることになる。このとき、伝送装置から入射される通信光と、測定装置３０から入射される試験光が当該光カプラにより合波され、また、伝送装置から入射される通信光は終端装置側へ送られ、一方、測定装置３０から入射される試験光の戻り光は伝送装置側へは伝わらず測定装置３０にのみ戻されることになる。
【００１９】
測定装置３０は、例えばＯＴＤＲ(Optical Time Domain Reflectometers)であり、光ファイバ４０に光パルス信号を入射し、ＰＯＮ伝送線路から反射によって戻ってくる戻り光を受光する。ここで、戻り光とは、光ファイバ４０、６０−１〜６０−Ｍ、８０−１〜８０−Ｎの接続点及び融着点、スプリッタ５０、７０−１〜７０−Ｍ、その他光フィルタ等や、終端装置９０−１〜９０−Ｎにおいて発生する反射光や、光ファイバ４０、６０−１〜６０−Ｍ、８０−１〜８０−Ｎに固有のレイリー散乱による後方散乱光のことをいう。また、測定装置３０は、受光した戻り光の光強度を測定し、また、受光した時間に基づく距離を算出し、測定した光強度と算出した距離とを測定データとして記録する。上記のようにして測定装置３０によって記録される測定データが図１の設備情報表示装置１の測定情報記憶部１６に記憶される。なお、測定情報記憶部１６は、設備情報表示装置１に測定装置３０を接続し、測定装置３０から直接情報を受信して記録するようにしてもよいし、既に測定された測定情報を別に通信回線を用いて設備情報表示装置１に送信して測定情報記憶部１６に記録させたり、記録媒体を介して測定情報記憶部１６に記録させるようにしてもよい。
【００２０】
次に、図３から図５を参照して、設備情報表示装置１の動作について説明する。
最初に、ユーザがキーボード１５−１あるはマウス１５−２を操作することにより、入力部１５が、設備情報入力画面の表示指示を入力すると、入力画面表示手段１１ａが、図４に示す設備情報入力画面１９−１を表示装置１９に出力する（ステップＳ１）。
【００２１】
次に、ユーザは、キーボード１５−１あるはマウス１５−２を操作することにより、入力欄にカーソルを合わせ、設備情報入力画面１９−１の設備の名称や、設備ごとの区間の距離値を入力欄に入力する（ステップＳ２）。ここで、設備の名称の入力欄として、図４に示す名称入力欄１００、１０１、１０２、１０３、１０４、１３０が表示され、距離値を入力する入力欄として、図４に示す距離入力欄１００−１、１０１−１、１０２−１、１０３−１、１０４−１、１１０が表示される。
【００２２】
名称入力欄１００には、例えば、図２に示したＰＯＮ伝送線路の接続端３１に光ファイバ４０を介して接続される最初のスプリッタ５０の名称が入力される。ここでは、名称の例として「ＳＰＬ１」が入力される。名称入力欄１０１〜１０４は、スプリッタ５０の次段として接続されるスプリッタ７０−１〜７０−Ｍに対応する名称が入力される。名称入力欄１３０は、複数の終端装置の名称が入力され、例えば、名称入力欄１０１に、図２に示すスプリッタ７０−１の名称が入力されると、名称入力欄１０１から接続線で関係付けられている名称入力欄１３０の８個の入力欄には、図２の終端装置９０−１〜９０−Ｎの名称が入力されることになる。図４では、名称入力欄１０１には、次段のスプリッタとして「ＳＰＬ２」が名称として入力され、「ＳＰＬ２」に接続する終端装置として名称入力欄１３０の１つに「ＯＮＵ１」が入力されている。
【００２３】
なお、スプリッタの名称を入力するための名称入力欄１００、１０１、１０２、１０３、１０４等の接続線の数は、図４の例では８個となっているが、接続数の数は、当該スプリッタが有する分岐数に従うものであり、ユーザが操作することによりスプリッタの分岐数の４、８、１６、３２の中から選択し、実際の構成にあった設備情報入力画面１９−１を任意に構成することができる。
【００２４】
距離入力欄１００−１には、名称入力欄１００に対応する設備と接続端３１の区間までの距離値が入力される。距離入力欄１０１−１には、名称入力欄１００に入力される設備、すなわち「ＳＰＬ１」と、名称入力欄１０１に入力される設備、すなわち「ＳＰＬ２」との間の区間の距離値が入力される。距離入力欄１０２−１〜１０４−１には、距離入力欄１０１−１と同様に、「ＳＰＬ１」とそれぞれの設備の区間の距離値が入力される。
【００２５】
距離入力欄１１０には、終端装置の名称が入力される名称入力欄１３０のそれぞれの終端装置と、名称入力欄１０１〜１０４に入力される設備の間の区間の距離値が入力される。なお、アイコン１２０は、後述する並べ替えを行った際に、設備情報入力画面１９−１に表示されていた順がユーザによって認識できるように、予め定められる表示順を示した数値を含んだ情報が表示される。また、合計距離表示領域１５０には、距離入力欄１００−１、１０１−１、１０２−１、１０３−１、１０４−１、１１０に入力されている距離値に基づいて算出部１２が算出した接続端３１から各終端装置９０−１〜９０−Ｎまでの距離が表示される。なお、合計距離表示領域１５０には、距離入力欄１００−１、１０１−１、１０２−１、１０３−１、１０４−１、１１０に値が入力されるごとに算出部１２が算出した合計距離値が、入力画面表示手段１１ａに入力され、入力画面表示手段１１ａによって書き換えられる。
【００２６】
全ての情報が設備情報入力画面１９−１に入力された後に、ユーザがマウス１５−２を操作することにより、保存「Ｓａｖｅ」ボタン１６０が選択されると、入力画面表示手段１１ａは、名称入力欄１００、１０１、１０２、１０３、１０４、１３０に入力されている名称情報と、距離入力欄１００−１、１０１−１、１０２−１、１０３−１、１０４−１、１１０に入力されている距離値と、アイコン１２０のそれぞれに予め付与されている識別情報とともに、設備情報入力画面１９−１に示されている名称入力欄及び距離入力欄の対応関係と距離入力欄ごとの接続関係を示す情報を入力設備情報として入力情報記憶部１４に記録する（ステップＳ３）。ここで、接続関係を示す情報は、例えば、名称入力欄や距離入力欄のそれぞれには、予め一意に識別可能な識別情報が付与されており、当該識別情報に基づいて、二段目のスプリッタに対応する距離入力欄１０１−１、１０２−１、１０３−１、１０４−１のそれぞれが、一段目のスプリッタに対応する距離入力欄１００−１と接続されていることを示す情報や、終端装置の距離入力欄１１０のそれぞれが、二段目のスプリッタのどれに接続されているかを示す情報を識別情報を用いて表すことで実現することができる。また、スプリッタ一段ずつ接続関係を有するのではなく、初段のスプリッタから終端装置までの接続関係を識別情報を用いて表すようにしてもよい。
【００２７】
次に、設備情報入力画面１９−１が表示されている状態にて、ユーザがマウス１５−２を操作することにより、表示「Ｄｉｓｐｌａｙ  Ｒｅｓｕｌｔ」ボタン１６１が選択されると、入力画面表示手段１１ａは、入力情報記憶部１４に記録した入力設備情報と同じ情報を算出部１２に出力する。算出部１２は、入力画面表示手段１１ａから入力された入力設備情報に基づいて、接続端３１から各設備までの合計距離値を算出し、算出した合計距離値に対応する設備の名称情報と、算出した合計距離値と、アイコン１２０の識別情報とを組み合わせた情報を並べ替え部１３に出力する（ステップＳ４）。
【００２８】
並べ替え部１３は、算出部１２から入力される複数組の名称情報と、合計距離値と、アイコン１２０の識別情報とを含む情報を、合計距離値に基づいて昇順に並べ替え、並べ替えた複数組の情報を合計距離表示手段１１ｂに出力するとともに合計距離情報として入力情報記憶部１４に記録する（ステップＳ５）。
【００２９】
合計距離表示手段１１ｂは、並べ替え部１３から入力される複数組の情報を、図５に示す合計距離表示画面１９−２のように表形式で表示する。図５では、「Ｔｏｔａｌ  Ｌｅｎｇｔｈ：合計距離値」のエントリの値が小さい順、すなわち「ＳＰＬ１」、「ＯＮＵ５」、「ＯＮＵ４」、「ＯＮＵ３」、「ＯＮＵ２」、「ＯＮＵ１」の順に表示されている。なお、「Ｓｅｃｔｉｏｎ  Ｌｅｎｇｔｈ」のエントリには、「ＯＮＵ１」については、「ＯＮＵ１」の合計距離値から「ＯＮＵ２」の合計距離値を減算した値が表示されており、同様にしてそれぞれの設備情報について自設備の合計距離値から、次の設備の合計距離値を減算した値が表示される（ステップＳ６）。
【００３０】
このようにして、合計距離表示画面１９−２に表示される距離値が小さい順に並べ替えられた設備の名称情報と、測定装置３０で測定され、測定装置３０からの距離が短い順に表示される戻り光の光強度と距離値と対応させることが可能となり、どの設備がどの戻り光のピーク及び距離値に対応するかをユーザに容易に認識させることができる。
【００３１】
また、上記の実施形態では、合計距離表示画面１９−２では、「ＳＰＬ１」、「ＯＮＵ５」、「ＯＮＵ４」、「ＯＮＵ３」、「ＯＮＵ２」、「ＯＮＵ１」が表示される例について示したが、当該表示は、予め表示する種別を設定しておくことにより、「ＳＰＬ２」、「ＳＰＬ３」、「ＳＰＬ４」についても表示するようにすることも可能である。
【００３２】
次に、図６及び図７を参照して、設備情報表示装置１を用いて、測定装置３０で測定した測定情報と上記の合計距離情報とを対応付けて設備情報を登録する動作について説明する。
まず最初に、ユーザがキーボード１５−１あるいはマウス１５−２を操作し、入力部１５が測定情報の表示指示を測定情報表示手段１１ｃに入力する。測定情報表示手段１１ｃは、測定情報の表示指示が入力されると、測定装置３０によって測定され予め測定情報記憶部１６に記憶されている測定情報を読み出して、図６に示す測定情報表示画面１９−４を表示装置１９に出力する。測定情報表示画面１９−４において、全体情報表示領域２００は、測定情報の全体を波形表示する領域である。ユーザがマウス１５−２を操作して、全体情報表示領域２００において、枠を描くと、当該枠で選択された領域が、測定情報表示手段１１ｃにより部分情報表示領域２５０に表示される。部分情報表示領域２５０において、破線の丸は実際には表示されないが、当該丸で囲まれる波形のピークは、それぞれスプリッタ及び終端装置に対応するピークであり、ユーザは目視により、当該ピークが設備に該当するものであることを確認する。
【００３３】
部分情報表示領域２５０において、ユーザが目視により終端装置９０−１〜９０−Ｎに対応するピークを確認すると、ユーザは、マウス１５−２を操作して、部分情報表示領域２５０に表示されるカーソル２５３を移動させ、カーソル２５３と波形のピークを合わせることにより、設備ごとの名称と距離値を登録する。
具体的な登録手順としては、例えば、以下のような手順がある。最初に、カーソル２５３を移動させ、カーソル２５３と波形のピークが合った際に、マウス１５−２のボタンを押下して位置を確定する。そして、ユーザがキーボード１５−１あるいはマウス１５−２を操作することにより、入力部１５は、選択指示を測定情報表示手段１１ｃに入力し、測定情報表示手段１１ｃは、マウス１５−２のボタンが押下された時点でのカーソル２５３の距離値を読み出す。次に、ユーザがキーボード１５−１あるいはマウス１５−２を操作して、終端装置の設備種別を示す「ＰＯＮ」を入力する。測定情報表示手段１１ｃは、読み出した距離値と、入力される「ＰＯＮ」とを対応付けて設備情報記憶部１７に記録するといった手順で実現することができる。また、スプリッタを登録する場合には、スプリッタの接続種別を示す「ＳＰＬ」が入力され、測定情報表示手段１１ｃは、読み出した距離値と、入力される「ＳＰＬ」とを対応付けて設備情報記憶部１７に記録することになる。
【００３４】
上記の手順を繰り返すことで、測定情報表示手段１１ｃは、「ＳＰＬ１」、「ＯＮＵ５」、「ＯＮＵ４」、「ＯＮＵ３」、「ＯＮＵ２」、「ＯＮＵ１」に対応する設備種別と距離値とを設備情報として、測定装置３０からの距離が短い順に設備情報記憶部１７に記録する。
【００３５】
次に、ユーザがキーボード１５−１あるいはマウス１５−２を操作して、入力部１５が設備情報の表示指示を入力すると測定情報表示手段１１ｃは、設備情報記憶部１７から設備情報を読み出すとともに、入力情報記憶部１４から合計距離情報を読み出す。そして、測定情報表示手段１１ｃは、設備情報記憶部１７から読み出した設備情報を図７に示す設備情報表示画面１９−５に表示するとともに、入力情報記憶部１４から合計距離情報に記録されている順、すなわち距離値が小さい順に設備名称の情報を読み出し、設備情報表示画面１９−５の接続点名称「Ｃｏｎｎｅｃｔｉｏｎ  Ｐｏｉｎｔ  Ｎａｍｅ」に読み出した設備の名称情報を表示する。
【００３６】
設備情報記憶部１７には設備情報が予め測定装置３０からの距離が短い順、すなわち距離値の小さい順に記憶されており、また入力情報記憶部１４も距離値が小さい順に記憶されているため、記憶されている順に対応付けて表示することで、測定情報から得られた距離値と、設計時に付与した設備の名称との対応付けを行うことができ、測定情報に基づく設備の登録を容易にすることが可能となる。
【００３７】
なお、本発明の、第１の表示手段は、入力画面表示手段１１ａに対応し、算出手段は、算出部１２に対応し、並べ替え手段は、並べ替え部１３に対応し、第２の表示手段は、合計距離表示手段に対応する。また、本発明の第３の表示手段は、測定情報表示手段に対応し、記憶手段は、測定情報記憶部１６に対応する。
【００３８】
上述の設備情報表示装置は内部に、コンピュータシステムを有している。そして、上述した入力画面表示手段１１ａ及び合計距離表示手段１１ｂによって行われる処理や、測定情報表示手段１１ｃによって行われる処理は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００３９】
なお、上記の実施形態において、強い戻り光を発生させる手段としては、各種の膜型フィルタやファイバーグレーティングフィルタを用いることができる。また、他の反射戻り光を発生させる手段を用いることができる。
【図面の簡単な説明】
【００４０】
【図１】本実施形態による設備情報表示装置を示すブロック図である。
【図２】同実施形態におけるＰＯＮ伝送線路の構成を示す図である。
【図３】同実施形態における設備情報表示処理を示したフロチャートである。
【図４】同実施形態における設備情報入力画面を示した図である。
【図５】同実施形態における合計距離表示画面を示した図である。
【図６】同実施形態における測定情報表示画面を示した図である。
【図７】同実施形態における設備情報表示画面を示した図である。
【符号の説明】
【００４１】
１    設備情報表示装置
１０  制御装置
１１  表示部
１１ａ  入力画面表示手段
１１ｂ  合計距離表示手段
１１ｃ  測定情報表示手段
１２  算出部
１３  並べ替え部
１４  入力情報記憶部
１５  入力部
１５−１  キーボード
１５−２  マウス
１６  測定情報記憶部
１７  設備情報記憶部
１９  表示装置
【図１】
2007116598.tif 000003
【図２】
2007116598.tif 000004
【図３】
2007116598.tif 000005
【図４】
2007116598.tif 000006
【図５】
2007116598.tif 000007
【図６】
2007116598.tif 000008
【図７】
2007116598.tif 000009